(57)【特許請求の範囲】
【請求項１】
音声を取得して記憶媒体に記憶可能な録音モードを含む複数のモードから、一つのモードを選択して、自装置に設定するモード設定手段と、
使用者の操作に応じて物理的に動かされることで、他の部材を駆動させる操作手段と、
前記モード設定手段が設定したモードに応じて、前記操作手段を動かすために必要な力の大きさを調整する調整手段と、
を備え、
前記調整手段は、自装置が録音モードに設定されている場合、前記操作手段を動かすために必要な力の大きさを、他のモードよりも大きくする、
録音装置。
【請求項２】
音声を取得して記憶媒体に記憶可能な録音モードを含む複数のモードから一つのモードを選択して、自装置に設定可能なモード設定手段と、
可動レンズを有する光学系と、
使用者の操作に応じて物理的に動かされることで、前記可動レンズを駆動させる操作手段と、
前記操作手段を動かすために必要な力の大きさを調整可能な調整手段と、
を備え、
前記調整手段は、前記モード設定手段によって、自装置が録音モードに設定されている場合、前記操作手段を動かすために必要な力の大きさを、他のモードよりも大きくする、
録音装置。
【請求項３】
前記光学系によって形成された被写体像を撮像して、動画像の一部をなす画像データを生成する撮像手段をさらに備え、
前記録音モードは、音声を取得して記憶媒体に記憶すると共に、前記撮像手段によって撮像された動画像を記憶媒体に記憶することが可能な音声付き動画撮影モードである、
請求項２に記載の録音装置。
【請求項４】
音声を取得して記憶媒体に記憶可能な録音手段と、
使用者の操作に応じて物理的に動かされることで、他の部材を駆動させる操作手段と、
前記録音手段が音声を取得して記憶媒体に記憶しているか否かに応じて、前記操作手段を動かすために必要な力の大きさを調整する調整手段と、
を備え、
前記調整手段は、前記録音手段が、音声を取得して記憶媒体に記憶している場合、前記操作手段を動かすために必要な力の大きさを、他の状態よりも大きくする、
録音装置。
【請求項５】
前記調整手段は、前記他の部材又は前記可動レンズの可動範囲において、当該他の部材又は当該可動レンズが可動範囲の限界位置に近づく程、前記操作手段を動かすために必要な力の大きさを、大きくなるように構成する、
請求項１〜４の何れか一項に記載の録音装置。
【発明の詳細な説明】
【技術分野】
【０００１】
本発明は、音声を記憶媒体に記憶可能な録音装置に関する。本発明は、例えば、音声付き動画を撮影可能なデジタルカメラやビデオカメラ等に利用されるものである。
【背景技術】
【０００２】
従来の撮像装置において、下記の特許文献１に記載されるようなものが存在する。
【０００３】
この撮像装置は、操作リングと、モード切替部と、トルク可変部とを備える。この操作リングは、焦点合わせと、ズーム調整とを一つの部材で共用できるようにしたものである。また、モード切替部は、操作リングを焦点合わせのモード切替ダイヤル材として機能させる第一のモードと、操作リングをズーム調整のモード切替ダイヤル材として機能させる第二のモードとを切り替えるものである。トルク可変部は、第一のモードと第二のモードとで、操作リングのトルクを変化させるようにしたものである。これによって、第一のモードと第二のモードで操作リングのトルクの重さが変更されるので、焦点合わせ時とズーム調整時とで最適な操作トルクを設定できるようになっている。
【特許文献１】特開２００３−３１５６５７号公報
【発明の開示】
【発明が解決しようとする課題】
【０００４】
ところで、このような撮像装置は、音声を録音可能になっているものが多い。そのため、この撮像装置で音声を録音している際に、使用者によってズームリングが操作されると、ズームリングの摺動音が雑音として録音されてしまう。このような場合、ズームリングの摺動音が大きいと、音の大きな雑音が録音されてしまい、使用者にとってより好ましくない。特に、音声付き動画を撮影可能な撮像装置では、音声付き動画撮影中に、ズームリングを操作されることが多いため、このズームリングを操作することによるズームリングの摺動音（こすれる音）が問題となる。
【０００５】
そこで、本発明は上記課題を解決するために、録音時において、より雑音を減らすことのできる録音装置を提供することを目的とする。
【課題を解決するための手段】
【０００６】
すなわち、本発明の撮像装置は、音声を取得して記憶媒体に記憶可能な録音モードを含む複数のモードから、一つのモードを選択して、自装置に設定するモード設定手段と、使用者の操作に応じて物理的に動かされることで、他の部材を駆動させる操作手段と、前記モード設定手段が設定したモードに応じて、前記操作手段を動かすために必要な力の大きさを調整する調整手段と、を備え、前記調整手段は、自装置が録音モードに設定されている場合、前記操作手段を動かすために必要な力の大きさを、他のモードよりも大きくする。
【０００９】
また、別の手段では、音声を取得して記憶媒体に記憶可能な録音モードを含む複数のモードから一つのモードを選択して、自装置に設定可能なモード設定手段と、可動レンズを有する光学系と、使用者の操作に応じて物理的に動かされることで、前記可動レンズを駆動させる操作手段と、前記操作手段を動かすために必要な力の大きさを調整可能な調整手段と、
を備える。そして前記調整手段は、前記モード設定手段によって、自装置が録音モードに設定されている場合、前記操作手段を動かすために必要な力の大きさを、他のモードよりも大きくする。
【００１０】
加えて、好ましくは、前記光学系によって形成された被写体像を撮像して、動画像の一部をなす画像データを生成する撮像手段をさらに備え、前記録音モードは、音声を取得して記憶媒体に記憶すると共に、前記撮像手段によって撮像された動画像を記憶媒体に記憶することが可能な音声付き動画撮影モードである。
【００１１】
このようにすれば、録音モードにおいて、操作手段を動かすために必要な力の大きさを大きくすることができる。したがって、録音モードにおいて、使用者が他のモードと同様の力で操作手段を操作した場合、操作手段の移動量が減る。これに伴って、操作手段の摺動音を減らすことができる。なお、このように構成した場合、下記の効果も発生する可能性がある。すなわち、操作手段の移動量を減らすことで、録音モードにおける他の部材の駆動量を減らすことができる。これによって、他の部材の駆動音も減らすことができる。
【００１２】
別の手段としては、音声を取得して記憶媒体に記憶可能な録音手段と、使用者の操作に応じて物理的に動かされることで、他の部材を駆動させる操作手段と、前記録音手段が音声を取得して記憶媒体に記憶しているか否かに応じて、前記操作手段を動かすために必要な力の大きさを調整する調整手段と、を備え、前記調整手段は、前記録音手段が、音声を取得して記憶媒体に記憶している場合、前記操作手段を動かすために必要な力の大きさを、他の状態よりも大きくする。
【００１５】
このようにすれば、録音時において、操作手段を動かすために必要な力の大きさを大きくすることができる。したがって、録音時において、使用者が他の時点と同様の力で操作手段を操作した場合、操作手段の移動量が減る。
【００１６】
また上記手段において、好ましくは、前記調整手段は、前記他の部材又は前記可動レンズの可動範囲において、当該他の部材又は当該可動レンズが可動範囲の限界位置に近づく程、前記操作手段を動かすために必要な力の大きさを、大きくなるように構成する。
【００１７】
このようにすれば、録音モード又は録音時において、他の部材または可動レンズが可動範囲の限界範囲に近づく程、前記操作手段を動かすために必要な力の大きさを、大きくすることができる。これによって、他の部材または可動レンズが別の部材と接触する前に、使用者が操作手段を動かすために必要な力の大きさを大きくすることができるので、他の部材又は可動レンズと別の部材との接触による衝撃を減らすことができる。そのため、他の部材又は可動レンズが、可動範囲の限界位置において、別の部材と接触することによって発生する雑音を減らすことができる。
【発明の効果】
【００１８】
本発明によれば、録音時において、より雑音を減らすことができる。
【発明を実施するための最良の形態】
【００１９】
（実施の形態１）
以下、本発明の一実施形態について図面を参照して説明する。本実施の形態における撮像装置１は、一眼レフタイプのデジタルカメラで構成されている。
【００２０】
１．構成
１−１  全体構成の概要
図１は、本実施の形態に係る撮像装置１の斜視図である。図２は、本実施の形態に係る撮像装置１の構成図である。
【００２１】
本実施の形態における撮像装置１は、撮像装置本体２と、撮像装置本体２が着脱可能な交換レンズ３と、を備える。撮像装置本体２は、ミラーボックス２０１と、ＣＭＯＳセンサ２０２と、接眼レンズ２０３、液晶モニタ２０４と、電源２０５と、ボディマウント２０６と、ＡＦセンサ２０７と、ＡＥセンサ２１４と、マイク２０８と、フラッシュメモリ２０９、カードスロット２１０、モード切替ダイヤル２１１と、マイコン２１２と、シャッタスイッチ２１３とを備える。また交換レンズ３は、光学系３０１、光学系３０１を駆動させるアクチュエータ、ズームリング３０３と、フォーカスリング３０４と、トルク調整手段３０５と、ＡＦ／ＭＦ切り替え部３０６と、アクチュエータとトルク調整手段３０５を制御するレンズコントローラ３０７とを備える。
【００２２】
１−２  撮像装置本体２の構成
撮像装置本体２は、交換レンズ３の光学系３０１によって集光された被写体像を撮像して、画像データとして記録するものである。
【００２３】
ミラーボックス２０１は、被写体像をＣＭＯＳセンサ２０２又は接眼レンズ２０３の何れかに選択的に入射させるために、交換レンズ３に含まれる光学系３０１からの光学的信号の光路を切り替える。ミラーボックス２０１は、メインミラー２０１１と、サブミラー２０１２と、ミラー駆動部２０１３と、シャッタ２０１４と、シャッタ駆動部と、焦点板２０１６と、プリズム２０１７とを含む構成である。
【００２４】
メインミラー２０１１は、被写体像を接眼レンズ２０３へと導くためにＣＭＯＳセンサ２０２への光路内に対して進退自在に配設される。そしてサブミラー２０１２は、交換レンズ３に含まれる光学系３０１から入力された光学的信号の一部を反射して、ＡＦセンサ２０７に入射する。
【００２５】
メインミラー２０１１がＣＭＯＳセンサ２０２への光路内に進入しているとき、交換レンズ３に含まれる光学系３０１から入力された光学的信号の一部は、焦点板２０１６およびプリズム２０１７を介して接眼レンズ２０３に入射される。また、メインミラー２０１１で反射された光学的信号の一部は焦点板２０１６で拡散される。そして、この拡散された光学的信号の一部はＡＥセンサ２１４に入射される。一方、メインミラー２０１１が、ＣＯＭＳセンサへの光路内から退避しているとき、交換レンズ３に含まれる光学系３０１から入力された光学的信号は、ＣＭＯＳセンサ２０２に入射される。
【００２６】
ミラー駆動部２０１３は、モータ、バネ等の機構部品からなり、マイコン２１２の制御に基づいてメインミラー２０１１およびサブミラー２０１２を駆動する。シャッタ２０１４は、ＣＭＯＳセンサ２０２に対する交換レンズ３からの光学的信号の遮断又は通過を切り替える。シャッタ駆動部は、モータ、バネ等の機構部品からなり、マイコン２１２の制御によって、シャッタ２０１４を駆動する。
【００２７】
ＣＭＯＳセンサ２０２は、ミラーボックス２０１を通って入射された光学的信号を電気信号に変換し、画像データを生成する撮像手段である。生成された画像データは、Ａ／Ｄコンバータによってアナログ信号からデジタル信号に変換され、マイコン２１２に出力される。なお、Ａ／Ｄコンバータからマイコン２１２にデジタル信号を出力する経路の途上で所定の画像処理を施すようにしてもよい。
【００２８】
接眼レンズ２０３は、ミラーボックス２０１を通って入射された光学的信号を通す。これによって、使用者は、接眼レンズ２０３を覗くことによって、光学系３０１が集光した被写体像を確認できるようにしている。要するに、接眼レンズ２０３は、光学式ビューファインダである。
【００２９】
液晶モニタ２０４は、カメラボディの背面に配置されるものであり、ＣＭＯＳセンサ２０２で生成された画像データまたはその画像データに所定の処理が施された画像データを表示可能である。
【００３０】
電源２０５は、カメラシステムで消費するための電力を供給する。電源２０５は、例えば乾電池であってもよいし、充電池であってもよい。また、電源２０５コードにより外部から供給される電力をカメラシステムに供給するものであってもよい。
【００３１】
ボディマウント２０６は、交換レンズ３のレンズマウント３０８と相俟って、交換レンズ３の着脱を可能にする部材である。ボディマウント２０６は、交換レンズ３と接続端子等を用い電気的に接続可能であるとともに、係止部材等のメカニカルな部材によって機械的にも接続可能である。ボディマウント２０６は、交換レンズ３に含まれるレンズコントローラ３０７からの信号をマイコン２１２へ出力できるとともに、マイコン２１２からの信号を交換レンズ３のレンズコントローラ３０７に出力できる。すなわち、マイコン２１２は、交換レンズ３側のレンズコントローラ３０７と制御信号や光学系３０１に関する情報などを送受信可能である。
【００３２】
ＡＥセンサ２１４は、被写体像の光の明るさを測光する。そして、測光結果をマイコン２１２に出力する。これによって、マイコン２１２が測光結果に基づいた露出制御をできるようにしている。
【００３３】
ＡＦセンサ２０７は、光学系３０１を介して入射された被写体の光学的信号に基づいて、フォーカスレンズ３０１１の合焦位置を検出するものである。これによって、マイコン２１２がピント合わせの制御をできるようにしている。
【００３４】
マイク２０８は、撮像装置本体２の周囲の音声を音声信号に変換するものである。マイク２０８は、マイコン２１２からの制御に基づいて、周囲の音声を音声信号に変換して、マイコン２１２に出力する。なお、マイク２０８によって出力された信号は、Ａ／Ｄコンバータによってアナログ信号からデジタル信号に変換される。
【００３５】
フラッシュメモリ２０９は、内蔵メモリとして用いられる記憶媒体である。フラッシュメモリ２０９は、画像データまたはその画像データに所定の処理が施された画像データを記憶可能である。また、デジタル化された音声信号も記憶可能である。加えて、画像データや音声信号の他にマイコン２１２の制御のためのプログラムや設定値などを記憶可能である。
【００３６】
カードスロット２１０は、メモリカード２１５を着脱するためのスロットである。メモリカード２１５は、画像データまたはその画像データに所定の処理が施された画像データを記憶可能である。また、デジタル化された音声信号も記憶可能である。要するにメモリカード２１５は、記憶媒体である。
【００３７】
モード切替ダイヤル２１１は、撮像装置本体２の外装に取り付けられた操作部材である。モード切替ダイヤル２１１は、略円形形状で構成され、使用者が回動操作することによって、使用者が複数のモードから一つのモードを選択できるようにしている。すなわち、モード切替ダイヤル２１１は、複数のモードの内、一つのモードを選択できるようにするため、所定の位置に移動されたモードを検知できるようにしている。例えば、「音声付き動画撮影モード」に関する画像が、所定の位置（選択位置）に移動されると、モード切替ダイヤル２１１は、「音声付き動画撮影モード」に変更されたことを示すモード切替信号をマイコン２１２に出力する。これによって、モードの切り替えを検知できるようにしている。なお、本実施の形態の「音声付き動画撮影モード」が、本発明の「録音モード」の一例である。すなわち、「録音モード」は、音声を取得して記憶媒体に記憶可能ならば、どのようなモードであってもかまわない。
【００３８】
マイコン２１２は、撮像装置本体２全体を制御するものである。マイコン２１２は、マイク２０８ロコンピュータで実現してもよく、ハードワイヤードな回路で実現してもよい。
【００３９】
マイコン２１２は、モード切替ダイヤル２１１からのモード切替信号を受け取ると、モード切替信号に対応するモードに撮像装置本体２を切り替える（設定する）。要するにマイコン２１２は、モード設定手段として機能する。ここで、本実施の形態では、撮像装置本体２は、音声付き撮影モードと、撮影モードと、再生モードとを備える。音声付き撮影モードは、音声付き動画撮影モードと、複数の音声付き静止画撮影モードを有している。撮影モードは、動画撮影モードと、複数の静止画撮影モードを有している。そしてマイコン２１２は、モード切替を行なった場合、切り替えられたモードに応じて、レンズコントローラ３０７にモード判別信号を送信する。具体的にマイコン２１２は、音声付き撮影モードの場合とその他のモードを判別できるような信号を送信する。なお、本実施の形態では、撮像装置本体２にモード切替ダイヤル２１１材を設けて、使用者からのモード切替を受け付けるようにしたが、これに限られず、例えば、このモード切替スイッチをタッチパネル上で構成するようにしてもよい。
【００４０】
また、マイコン２１２は、ＣＭＯＳセンサ２０２やマイク２０８によって出力された画像データや音声信号をフラッシュメモリ２０９またはメモリカード２１５に出力することによって、記憶媒体に記憶させる。要するにマイコン２１２は、マイク２０８から出力された音声信号をフラッシュメモリ２０９またはメモリカード２１５などの記憶媒体に記憶する録音手段として機能する。
【００４１】
さらにマイコン２１２は、シャッタスイッチ２１３の全押し信号に基づいて、設定されたモードに応じた撮影動作を行なう。この撮影動作には、音声付き動画撮影や静止画撮影（音声無し）などが含まれる。
【００４２】
加えてマイコン２１２は、動画撮影モードの場合、被写体に対し連続的に焦点を合わせるコンティニュアスＡＦ動作を行なう。なお、本実施の形態におけるコンティニュアスＡＦでは、ＣＭＯＳセンサ２０２が撮像した画像データに対してコントラスト検出方式を用いることで、連続的なオートフォーカス動作を行なう。すなわち、撮像装置１が例えば音声付き動画撮影モードに設定された場合において、動画の撮影が開始されると、設定された被写体に対して連続的なピント合わせを行なう。そのため、この撮像装置１では動画を撮影する場合、フォーカスリング３０４を用いたピント調整ができなくなる。
【００４３】
シャッタスイッチ２１３は、撮像装置本体２の上面に設けられた釦であり、使用者からの半押しおよび全押し操作を検知する操作手段である。全押しの操作は、使用者からの撮影開始の操作である。シャッタスイッチ２１３は、使用者から半押し操作を受け付けると、半押し信号をマイコン２１２に出力する。一方、シャッタスイッチ２１３は、使用者から全押し操作を受け付けると、全押し信号をマイコン２１２に出力する。これらの信号に基づいて、マイコン２１２は様々な制御を行なう。
【００４４】
１−３  交換レンズ３の構成
光学系３０１は、フォーカスレンズ３０１１とズームレンズ３０１２と対物レンズ３０１３を含んで構成され、被写体からの光を集光する。フォーカスレンズ３０１１は、アクチュエータ又はフォーカスリング３０４によって駆動され、ピントの調節を行なうようにしたものである。ズームレンズ３０１２は、アクチュエータによって駆動され、ズーム倍率を調整するものである。要するに、フォーカスレンズ３０１１やズームレンズ３０１２は可動レンズである。
【００４５】
アクチュエータは、フォーカス駆動部３０２１と、ズーム駆動部３０２２とを備える。このフォーカス駆動部３０２１は、レンズコントローラ３０７の制御にしたがって、フォーカスレンズ３０１１を駆動させるようにしたものである。また、ズーム駆動部３０２２は、レンズコントローラ３０７の制御にしたがって、ズームレンズ３０１２を駆動させるようにしたものである。
【００４６】
フォーカスリング３０４は、交換レンズ３の外装に設けられ、使用者からの操作に応じて、フォーカスレンズ３０１１を駆動させるものである。また、ズームリング３０３は、交換レンズ３の外装に設けられ、使用者からの操作に応じて、ズームレンズ３０１２を駆動させるものである。要するに、フォーカスリング３０４やズームリング３０３は、操作手段である。なお、本実施の形態では、操作手段としてフォーカスリング３０４とズームリング３０３とを備えるように構成したが、これに限られず、フォーカスリング３０４又はズームリング３０３の何れか一方を操作手段として備えるようにしてもよい。
【００４７】
トルク調整手段３０５は、レンズコントローラ３０７からのトルクに関する情報に基づいて、フォーカスリング３０４やズームリング３０３などの操作手段の回転トルクを調整する。ここで操作リングの回転トルクの調整方法は、例えば、特許文献１（特許文献１の段落番号００２２〜００２７等）に示す方法によって変更可能である。例えば、ズームリング３０３のグリスの粘性を変更することによって変更できる（特許文献１の段落番号００２５）。要するに、トルク調整手段３０５は、操作手段の回転トルクを調整できるものであれば、どのような方法であってもよい。なお、トルク変更手段は、本発明の調整手段の一例である。
【００４８】
ＡＦ／ＭＦ切り替え部３０６は、交換レンズ３にマニュアルフォーカスとオートフォーカスを切り替える。ＡＦ／ＭＦ切り替え部３０６は、切り替え操作が行なわれると制御信号をレンズコントローラ３０７に出力する。これによって、レンズコントローラ３０７は、交換レンズ３の設定をマニュアルフォーカスとオートフォーカスとに切り替えできるようにしている。
【００４９】
レンズコントローラ３０７は、交換レンズ３全体を制御するものである。レンズコントローラ３０７は、マイク２０８ロコンピュータで実現してもよく、ハードワイヤードな回路で実現してもよい。
【００５０】
このレンズコントローラ３０７は、マイコン２１２からのモード判別信号に基づいて、操作リングの回転トルクを調整するように、トルク調整手段３０５を制御する。レンズコントローラ３０７は、モード判別信号がその他のモードの信号である場合、操作リングの回転トルクを所定のトルク（例えば、１２Ｎ・ｃｍ）に調整するようにトルク調整手段３０５を制御する。一方、レンズコントローラ３０７は、モード判別信号が音声付き撮影モードの信号である場合、操作リングの回転トルクの設定を、所定のトルクよりも重いトルク（例えば、３５Ｎ・ｃｍ）に変更するようにトルク調整手段３０５を制御する。具体的には、レンズコントローラ３０７が、トルク調整手段３０５にトルクに関する情報を送信することで可能にする。
【００５１】
なお、ＡＦ／ＭＦ切り替え手段によって交換レンズ３がＡＦ処理に切り替えられた場合、フォーカスリング３０４の回転トルクが所定のトルクになるように、トルク調整手段３０５を制御する。交換レンズ３がＡＦ処理に設定されている場合、フォーカスリング３０４の回転トルクを変更する必要がないからである。すなわち、フォーカスリング３０４に対する処理を省略できるからである。なお、交換レンズ３がＡＦ処理に設定されている場合に、トルク調整手段３０５によってフォーカスリング３０４の回転トルクを所定のトルク以外に変更してもよいことはいうまでもない。
【００５２】
これによって、例えば、音声付き動画撮影時に操作手段の回転トルクを重く設定できるので、使用者による操作手段の操作量を小さくでき、操作手段の摺動音を小さくすることができる。加えて、可動レンズの駆動による雑音を小さくすることができる。
【００５３】
２．動作
２−１  トルク調整動作
次に本実施の形態１における撮像装置１の動作について図３のフローチャートを用いて説明する。
【００５４】
本実施の形態における撮像装置１の動作は、使用者が電源２０５をオンすることによって、動作が開始される。この動作説明では、モード切替ダイヤル２１１が再生モードに設定されている場合を例にして説明する。この再生モードでは、トルク調整手段３０５によってフォーカスリング３０４やズームリング３０３が所定のトルクに設定される（Ｓ１）。モード切替ダイヤル２１１が再生モードに設定された場合、モード切替ダイヤル２１１からマイコン２１２に対してモード切替信号が出力される。そしてマイコン２１２では、モード判別信号をレンズコントローラ３０７に出力する。その後、レンズコントローラ３０７は、再生モードに応じたトルクに関する情報をトルク調整手段３０５に出力する。これによって、トルク調整手段３０５では、トルクに関する情報に基づいて、ズームリング３０３の回転トルクを所定のトルクに調整できる。
【００５５】
そして、撮像装置１では、使用者によってモード切替ダイヤル２１１が音声付き撮影モード、例えば、音声付き動画撮影モードに変更されると（Ｓ２ＹＥＳ）、音声付き動画撮影モードに撮像装置１全体を切り替える（Ｓ４）。この際、モード切替ダイヤル２１１からマイコン２１２に対してモード切替信号が出力される。マイコン２１２は、モード切替信号（音声付き動画撮影モード）を受け取ると、音声付き動画撮影モードに撮像装置１全体を制御する。この中でマイコン２１２は、モード判別信号をレンズコントローラ３０７に出力する。
【００５６】
一方、使用者によってモード切替ダイヤル２１１が、音声付き撮影モード以外の他のモードに変更されると（Ｓ２ＮＯ）、変更された他のモードに撮像装置１全体を切り替える（Ｓ３）。そして、ステップＳ２に移行する。
【００５７】
レンズコントローラ３０７は、モード判別信号に基づいて、音声付き撮影モードに応じたトルクに関する情報をトルク調整手段３０５に出力する。これによって、トルク調整手段３０５では、トルクに関する情報に基づいて、ズームリング３０３の回転トルクを、所定のトルクよりも重いトルクに変更できる（Ｓ５）。
【００５８】
この後、モード切替ダイヤル２１１が音声付き撮影モード以外の他のモードに設定されると（Ｓ６ＹＥＳ）、変更された他のモードに撮像装置１全体を切り替え（Ｓ７）、ステップＳ１に処理が戻る。一方、モード切替ダイヤル２１１が音声付き撮影モードに変更されると（Ｓ６ＮＯ）、変更された音声付き撮影モードに撮像装置１全体を切り替える（Ｓ８）。そして、ステップＳ６に移行する。
【００５９】
２−２  撮影動作
この撮影動作は、上記トルク調整動作で設定されたモードに応じて、動作するものである。以下に設定されたモードの一例として、撮像装置１の音声付き動画撮影と、静止画撮影（音声無し）について説明する。なお、静止画撮影の動作は、ＡＦ／ＭＦ切り替え部３０６において、マニュアルフォーカスに設定されている場合を例として説明する。
【００６０】
２−２−１  音声付き動画撮影（図４）
撮像装置１において、音声付き動画撮影モードに設定されると、メインミラー２０１１がＣＯＭＳセンサへの光路内から退避される。すなわち、メインミラー２０１１が跳ね上げられる。また、これに伴って、シャッタ２０１４も開放される。これによって、光学系３０１に集光された光学的信号がＣＭＯＳセンサ２０２へと導かれ、ＣＭＯＳセンサ２０２で撮像された画像データが、マイコン２１２を介して、液晶モニタ２０４に表示される。要するに、液晶モニタ２０４は、液晶モニタ２０４にスルー画像が表示されるビューファインダとして機能する。
【００６１】
その後、撮像装置１は、シャッタスイッチ２１３が全押しされると（Ｔ１ＹＥＳ）、動画撮影を開始する（Ｔ２）。具体的な動画撮影は、ＣＭＯＳセンサ２０２が、被写体からの光学的信号を画像データとして撮像し、マイク２０８が撮像装置１の周囲の音声を音声信号に変換する。この画像データは、ＣＭＯＳセンサ２０２によってマイコン２１２に出力され、マイコン２１２は画像データをメモリカード２１５に記憶する。また、音声信号は、マイク２０８によってマイコン２１２に出力され、マイコン２１２は音声信号をメモリカード２１５に記憶する。シャッタスイッチ２１３がもう一度全押しされるまで、これらの処理を繰り返す（Ｔ３ＮＯ）。
【００６２】
そして撮像装置１は、シャッタスイッチ２１３がもう一度全押しされると（Ｔ３ＹＥＳ）、動画撮影を終了する。この動画撮影と並行して、使用者は、ズームリング３０３を操作することができる。このズームリング３０３の操作によって、ズームレンズ３０１２を駆動し、ＣＭＯＳセンサ２０２が取得する画像データの画角を変更することができる。すなわち、ズーム倍率を変更することができる。
【００６３】
これによって、撮像装置１は音声付き動画を録画でき、加えて、撮像装置１は動画を録画する際に、撮影される画像データの画角を変更することができる。
【００６４】
２−２−２  静止画撮影（音声無し）（図５）
撮像装置１において、静止画撮影モードに設定されると、メインミラー２０１１がＣＯＭＳセンサへの光路内へ進入される。これにより使用者は、接眼レンズ２０３を覗くことによって、実際に撮影される被写体を見ながら、ピント合わせやズーム倍率の調整を行なうことができる。この際、使用者は、ピント合わせを行なうために、フォーカスリング３０４を操作する。使用者によってフォーカスリング３０４が操作されると、フォーカスレンズ３０１１が駆動され、ピントが調整される。また、使用者は、ズーム倍率の調整を行なうために、ズームリング３０３を操作する。使用者によってズームリング３０３が操作されると、ズームリング３０３が駆動され、画像データの画角が変更される。
【００６５】
この後、撮像装置１は、使用者からの半押し信号を受け付けると（Ｕ１ＹＥＳ）、撮像装置１のＡＥセンサ２１４などによって露出制御を行なう（Ｕ２）。そして、撮像装置１は、使用者からの全押し操作を受け付けると（Ｕ３ＹＥＳ）、マイコン２１２がメインミラー２０１１、シャッタ２０１４等を制御して、ＣＭＯＳセンサ２０２に光学的信号を撮像させる（Ｕ４）。ＣＭＯＳセンサ２０２では、取得した画像データをマイコン２１２に出力し、マイコン２１２は、画像データをメモリカード２１５に記憶する（Ｕ５）。
【００６６】
これによって、撮像装置１は静止画を撮影できる。
３．まとめ
本実施の形態１の撮像装置１は、音声を取得して記憶媒体に記憶可能な録音モードを含む複数のモードから、一つのモードを選択して、撮像装置１に設定するモード切替ダイヤル２１１と、使用者の操作に応じて物理的に動かされることで、ズームレンズ３０１２を駆動させるズームリング３０３と、前記モード切替ダイヤル２１１が設定したモードに応じて、前記操作手段を動かすために必要な力の大きさを調整するトルク調整手段３０５と、を備える。
【００６７】
このようにすれば、録音モードにおいて、操作手段を動かすために必要な力の大きさを変更することができるので、録音モードにおける時間当たりの操作手段の駆動量を変更することが可能となる。これによって、操作手段の摺動音を減らすことができる。
（実施の形態２）
１．構成
実施の形態２の構成は、実施の形態１と同様であるので、省略する。
２．動作
次に本実施の形態２における撮像装置１の動作について説明する。この実施の形態２では、トルク変更動作と撮影動作を一つのフローチャートを用いて説明する。この実施の形態２は、モード切替ダイヤル２１１が音声付き動画撮影モードに設定されている場合を例にして説明する。
【００６８】
本実施の形態における撮像装置１の動作は、使用者が電源２０５をオンすることによって、動作が開始される。撮像装置１は、電源２０５がオンされると、モード切替ダイヤル２１１に設定してある音声付き動画撮影モードに切り替える。この際、トルク調整手段３０５によって、ズームリング３０３の回転トルクを所定のトルクに設定する。そしてモードが音声付き動画撮影モードに設定されると、液晶モニタ２０４はスルー画像を表示する。これによって、使用者は、このスルー画像を確認しながら撮影できる。
【００６９】
その後、図６に示す動作を行なう。撮像装置１は、使用者からの全押し操作を受け付けると（Ｖ１ＹＥＳ）、二つの処理を並列して行う。撮像装置１は、上述した方法と同様の動画撮影を行う（Ｖ２）。また撮像装置１は、トルク調整手段３０５を制御して、ズームリング３０３の回転トルクを所定のトルクよりも重いトルクに変更する（Ｖ２）。この際、使用者がズームリング３０３を操作すると、ズームリング３０３が駆動され、ズーム倍率が変更される。
【００７０】
そして、撮像装置１は、使用者からの全押し操作を受け付けると（Ｖ３ＹＥＳ）、動画撮影を終了する。また、トルク調整手段３０５によって、ズームリング３０３の回転トルクを所定のトルクに変更する（Ｖ４）。
【００７１】
これによって、マイク２０８によって音声が録音されている時に、ズームリング３０３の回転トルクが重くなるように構成したので、録音がされていない場合については、ズームリング３０３の回転トルクを軽くでき、使用者は容易にズーム倍率の調整を行なうことができる。
【００７２】
３．まとめ
本実施の形態２の撮像装置１は、撮像装置１の周囲の音声を記憶媒体に記憶可能な録音手段と、使用者の操作に応じて物理的に動かされることで、ズームレンズ３０１２を駆動させるズームリング３０３と、前記録音手段が撮像装置１の周囲の音声を記憶媒体に記憶しているか否かに応じて、前記操作手段を動かすために必要な力の大きさを調整するトルク調整手段３０５と、を備える。
【００７３】
このようにすれば、録音時において、操作手段を動かすために必要な力の大きさを変更することができるので、音声録音時における時間当たりの操作手段の駆動量を変更することが可能となる。これによって、操作手段の摺動音を減らすことができる。
（他の実施の形態）
本発明の実施の形態として、実施の形態１、２を例示した。しかし、本発明は、実施の形態１、２に限定されず、他の実施の形態においても実現可能である。そこで、本発明の他の実施の形態を以下まとめて説明する。
【００７４】
上記実施の形態では、撮像手段としてＣＭＯＳセンサを例示した。しかし、ＣＭＯＳセンサに替えて、他の撮像手段を用いてもよい。要するに、被写体を撮像して画像データを生成するものであればよい。他の撮像手段としては、例えば、ＣＣＤイメージセンサなどを用いてもよい。
【００７５】
また、上記実施の形態では、ズームリングを操作手段の一例として説明した。しかし、操作手段は、これに限られず、様々な部材で構成可能である。すなわち、操作手段は、使用者の操作に応じて物理的に動かされることで、他の部材を駆動させるものであれば、どのような構成であってもかまわない。例えば、操作手段は、略長方形に形成された部材で構成され、当該部材を一方向に可動させることで、他の部材を駆動させるようにしてもよい。
【００７６】
また、上記実施の形態では、トルク調整手段を調整手段の一例として説明した。しかし、これに限られず、操作手段を動かすために必要な力の大きさを調整できるものであれば、どのような手段であってもかまわない。すなわち、操作手段の回転トルクに限られない。
【産業上の利用可能性】
【００７７】
本発明は、音声録音が可能な録音装置に適用可能である。例えば、音声録音機能付きデジタルカメラ、ビデオカメラ、携帯電話などに適用可能である。
【図面の簡単な説明】
【００７８】
【図１】本発明の実施の形態１に係る撮像装置の斜視図
【図２】本発明の実施の形態１に係る撮像装置の構成図
【図３】本発明の実施の形態１に係る撮像装置のトルク調整動作を説明するためのフローチャート
【図４】本発明の実施の形態１に係る撮像装置の動画撮影動作を説明するためのフローチャート
【図５】本発明の実施の形態１に係る撮像装置の静止画撮影動作を説明するためのフローチャート
【図６】本発明の実施の形態２に係る撮像装置の動作を説明するためのフローチャート
【符号の説明】
【００７９】
１    撮像装置
２    撮像装置本体
３    交換レンズ
２０２    ＣＭＯＳセンサ
２０６    ボディマウント
２０８    マイク
２０９    フラッシュメモリ
２１０    カードスロット
２１１    モード切替ダイヤル
２１２    マイコン
２１３    シャッタスイッチ
３０１    光学系
３０３    ズームリング
３０４    フォーカスリング
３０５    トルク調整手段
３０６    ＡＦ／ＭＦ切り替え部
３０７    レンズコントローラ
３０８    レンズマウント
３０１１    フォーカスレンズ
３０１２    ズームレンズ
３０１３    対物レンズ
３０２１    フォーカス駆動部
３０２２    ズーム駆動部
【図１】
0004952634.tif 000002
【図２】
0004952634.tif 000003
【図３】
0004952634.tif 000004
【図４】
0004952634.tif 000005
【図５】
0004952634.tif 000006
【図６】
0004952634.tif 000007